(57)【要約】【課題】  発熱部品を簡単な構造で外観上体裁良く効果的に冷却する。【解決手段】  大規模集積回路ＬＳＩやその他の電子部品を搭載したメイン基板７とトランス１３やその他の電子部品を搭載したサブ基板１１とが筐体１内に配置され、筐体１内のフロントパネル１ａからローダー２の外周面に沿ってリアシャーシ１ｃの排気口１６に至るエア流通路Ａに沿ってエアを流通させるためのファン１７が設けられたディスク装置において、前記メイン基板７をローダー２とリアシャーシ１ｃとの間に設けることにより前記大規模集積回路ＬＳＩがエア流通路Ａ内に配置されると共に、該メイン基板７の下方にファン１７が配置され、トランス１３がファン１７と排気口１６との間のエア流通路Ａ内に配置され、ローダー２とリアシャーシ１ｃとの間でエア流通路Ａの両側にエア案内板２４、２５が設けられている。【選択図】        図１
2008257763.tif 000002
【特許請求の範囲】
【請求項１】
フロントパネル、ボトムシャーシ、リアシャーシ及びトップカバーを有する筐体内にロ
ーダーが配置されると共に、該ローダーの前面が前記フロントパネルの開口部内に配置さ
れ、大規模集積回路やその他の電子部品を搭載したメイン基板とトランスやその他の電子
部品を搭載したサブ基板とが前記筐体内に配置され、前記筐体内のフロントパネルからロ
ーダーの外周面に沿ってリアシャーシの排気口に至るエア流通路に沿ってエアを流通させ
るためのファンが設けられたディスク装置において、前記メイン基板をローダーとリアシ
ャーシとの間に設けることにより前記大規模集積回路が前記エア流通路内に配置されると
共に、該メイン基板の下方に前記ファンが配置され、前記トランスがファンと排気口との
間のエア流通路内に配置され、ローダーとリアシャーシとの間でエア流通路の両側にエア
案内板が設けられていることを特徴とするディスク装置。
【請求項２】
フロントパネル、ボトムシャーシ、リアシャーシ及びトップカバーを有する筐体内にロ
ーダーが配置されると共に、該ローダーの前面が前記フロントパネルの開口部内に配置さ
れ、大規模集積回路やその他の電子部品を搭載したメイン基板とトランスやその他の電子
部品を搭載したサブ基板とが前記筐体内に配置され、前記筐体内のフロントパネルからロ
ーダーの外周面に沿ってリアシャーシの排気口に至るエア流通路に沿ってエアを流通させ
るためのファンが設けられたディスク装置において、前記大規模集積回路とトランスとが
前記エア流通路内に配置されていることを特徴とするディスク装置。
【請求項３】
前記ファンがメイン基板の下方に配置されていることを特徴とする請求項２に記載のデ
ィスク装置。
【請求項４】
前記ローダーとリアシャーシとの間でエア流通路の両側にエア案内板が設けられている
ことを特徴とする請求項２または３に記載のディスク装置。
【発明の詳細な説明】
【技術分野】
【０００１】
本発明は、例えばＤＶＤプレーヤやＤＶＤレコーダなどのディスク装置に関し、特に、
大規模集積回路やトランスなどの発熱部品を簡単な構造で外観上体裁良く効果的に冷却す
るようにしたものである。
【背景技術】
【０００２】
従来、ディスク装置の技術として図４〜図６に示すものがあり、図４は同斜視図、図５
は同水平断面図、図６は同縦断面図である。
【０００３】
図４〜図６に示すように、筐体１がフロントパネル１ａ及びボトムシャーシ１ｂを有し
、該ボトムシャーシ１ｂの後端縁から延びるリアシャーシ１ｃが直角に折り曲げて立ち上
げられ、そのリアシャーシ１ｃとフロントパネル１ａとの間でボトムシャーシ１ｂにトッ
プカバー１ｄが被せられている。
【０００４】
図５に示すように、前記筐体１内の中央にローダー２が配置され、該ローダー２には、
ディスクＤを高速回転させるためのターンテーブル３と、該ディスクＤに記録されている
情報を読み取って録画再生などを行なうための光ピックアップ４と、そのディスクＤを出
し入れするためのトレイ５とが備えられており、ローダー２の前面がフロントパネル１ａ
の開口部６内に配置されている。
【０００５】
図４〜図６に示すように、プリント配線基板からなるメイン基板７が筐体１内のローダ
ー２の側方に配置されてボトムシャーシ１ｂ上の脚柱８にビス９止めされ、該メイン基板
７の下面に大規模集積回路ＬＳＩが搭載されると共に、そのメイン基板７の上下両面にそ
の他の電子部品（図示せず）が搭載されている。
【０００６】
図４〜図６に示すように、プリント配線基板からなる平面視略Ｌ字状サブ基板１１が筐
体１内のローダー２の側方からその後方にかけてメイン基板７の下方に配置されてボトム
シャーシ１ｂ上の脚部１２にビス９止めされ、該サブ基板１１の上面のローダー２より後
方位置にトランス１３が搭載されると共に、そのサブ基板１１の上下両面にその他の電子
部品（図示せず）が搭載されている。なお、図４中、１４はディスプレイ、１５は操作部
である。
【０００７】
図５に示すように、ローダー２と開口部６との間に隙間６ａが形成されると共に、リア
シャーシ１ｃのローダー２の後面に対向する位置に排気口１６が形成され、その排気口１
６に対向してリアシャーシ１ｃの背面にファン１７がビス９止めされ、図５に二点鎖線Ａ
１，Ａ２で示すように、フロントパネル１ａからローダー２の外周面に沿って排気口１６
に至るエア流通路Ａが形成されている。
【０００８】
図６に示すように、大規模集積回路ＬＳＩにヒートシンク１９が固着されている。なお
、図５中、２０はローダー２とメイン基板７とをつなぐフレキシブルフラットケーブル、
２１はメイン基板７とサブ基板１１とをつなぐフレキシブルフラットケーブルである。ま
た、図６中、２２はローダー２の下面に設けたプリント配線基板からなるローダー用制御
基板である。
【０００９】
動作手順を説明すると、メイン基板７を介してローダー２を駆動制御することにより、
プレイモードで、ターンテーブル３によりディスクＤを高速回転させ、該ディスクＤに記
録されている情報を光ピックアップ４により読み取り、再生や録画などを行なう。
【００１０】
ローダー２の駆動制御により、トランス１３や大規模集積回路ＬＳＩが高温状態となり
、その高温状態が続くと、そのトランス１３や大規模集積回路ＬＳＩが熱破壊されるおそ
れがあるので、ファン１７を駆動することにより、隙間６ａ（及びそれ以外の図示してい
ない隙間や通気口）からエア流通路Ａに沿って矢印ａで示すようにエアを流通させること
によりトランス１３を冷却し、そのエア流通路Ａから外れている大規模集積回路ＬＳＩは
ヒートシンク１９で放熱を促進している。なお、関連する技術として特許文献１に記載し
たものがある。
【特許文献１】特開平７−２５４２６６号公報
【発明の開示】
【発明が解決しようとする課題】
【００１１】
上記従来の構成では、大規模集積回路ＬＳＩがエア流通路Ａから外れており、その大規
模集積回路ＬＳＩの放熱を促進するために比較的高価なヒートシンク１９を用いているの
で、そのヒートシンク１９の分だけ部品点数が増加して製作費が高くつく。
【００１２】
また、ファン１７がリアシャーシ１ｃの裏面に外付けされているので、外観上の体裁が
悪くなると共に、該ファン１７が近隣機器に接触して損傷されるおそれもあり、そのファ
ン１７が外付けされている分だけ専有面積が大きくなり、使い勝手が悪い。
【００１３】
更に、エア流通路Ａ内を流通するエアが拡散しやすく冷却効率が低い。
【００１４】
本発明は、上記従来の欠点に鑑み、大規模集積回路やトランスなどの発熱部品を簡単な
構造で外観上体裁良く効果的に冷却することができるようにしたディスク装置を提供する
ことを目的としている。
【課題を解決するための手段】
【００１５】
上記目的を達成するため、請求項１に記載の発明は、フロントパネル、ボトムシャーシ
、リアシャーシ及びトップカバーを有する筐体内にローダーが配置されると共に、該ロー
ダーの前面が前記フロントパネルの開口部内に配置され、大規模集積回路やその他の電子
部品を搭載したメイン基板とトランスやその他の電子部品を搭載したサブ基板とが前記筐
体内に配置され、前記筐体内のフロントパネルからローダーの外周面に沿ってリアシャー
シの排気口に至るエア流通路に沿ってエアを流通させるためのファンが設けられたディス
ク装置において、前記メイン基板をローダーとリアシャーシとの間に設けることにより前
記大規模集積回路が前記エア流通路内に配置されると共に、該メイン基板の下方に前記フ
ァンが配置され、前記トランスがファンと排気口との間のエア流通路内に配置され、ロー
ダーとリアシャーシとの間でエア流通路の両側にエア案内板が設けられていることを特徴
としている。
【００１６】
請求項２に記載の発明は、フロントパネル、ボトムシャーシ、リアシャーシ及びトップ
カバーを有する筐体内にローダーが配置されると共に、該ローダーの前面が前記フロント
パネルの開口部内に配置され、大規模集積回路やその他の電子部品を搭載したメイン基板
とトランスやその他の電子部品を搭載したサブ基板とが前記筐体内に配置され、前記筐体
内のフロントパネルからローダーの外周面に沿ってリアシャーシの排気口に至るエア流通
路に沿ってエアを流通させるためのファンが設けられたディスク装置において、前記大規
模集積回路とトランスとが前記エア流通路内に配置されていることを特徴としている。
【００１７】
請求項３に記載の発明は、請求項２に記載の発明において、前記ファンがメイン基板の
下方に配置されていることを特徴としている。
【００１８】
請求項４に記載の発明は、請求項２または３に記載の発明において、前記ローダーとリ
アシャーシとの間でエア流通路の両側にエア案内板が設けられていることを特徴としてい
る。
【発明の効果】
【００１９】
請求項１に記載の発明は実施の一形態（図１〜図３参照）に対応するものであって、こ
れによれば、１台のファンで大規模集積回路とトランスとを同時に冷却することができ、
従来の大規模集積回路の放熱を促進するためのヒートシンクが不要となり、その不要とな
った分だけ部品点数を少なくして製作費を安くすることができる。
【００２０】
また、ファンが筐体内に設けられて外から見えないので、外観上の体裁を良好に維持す
ることができると共に、従来の外付けファンのように近隣機器に接触して損傷されたり専
有面積が大きくなることもなく、使い勝手がよい。
【００２１】
特に、トップカバーを取り外したときでも、ファンがメイン基板の下方に隠れているの
で、該ファンが外部に露出せず、外観上の体裁を一層良好に維持することができる。
【００２２】
更に、エア流通路の両側にエア案内板を設けているので、該エア流通路内を流通するエ
アが拡散しないようにして、冷却効率を高めることができる。
【００２３】
請求項２に記載の発明は基本形態に対応するものであって、これによれば、１台のファ
ンで大規模集積回路とトランスとを同時に冷却することができ、従来の大規模集積回路の
放熱を促進するためのヒートシンクが不要となり、その不要となった分だけ部品点数を少
なくして製作費を安くすることができる。
【００２４】
請求項３に記載の発明によれば、ファンが筐体内に設けられて外から見えないので、外
観上の体裁を良好に維持することができると共に、従来の外付けファンのように近隣機器
に接触して損傷されたり専有面積が大きくなることもなく、使い勝手がよい。
【００２５】
特に、トップカバーを取り外したときでも、ファンがメイン基板の下方に隠れているの
で、該ファンが外部に露出せず、外観上の体裁を一層良好に維持することができる。
【００２６】
請求項４記載の発明によれば、エア流通路の両側にエア案内板を設けているので、該エ
ア流通路内を流通するエアが拡散しないようにして、冷却効率を高めることができる。
【発明を実施するための最良の形態】
【００２７】
図１〜図３は本発明の実施の一形態であるディスク装置を示すものであって、、図１は
同斜視図、図２は同水平断面図、図３は同縦断面図である。
【００２８】
図１〜図３に示すように、メイン基板７をローダー２とリアシャーシ１ｃとの間に設け
ることにより大規模集積回路ＬＳＩがエア流通路Ａ内に配置されると共に、該メイン基板
７の下方にファン１７が配置され、トランス１３がファン１７と排気口１６との間のエア
流通路Ａ内に配置され、ローダー２とリアシャーシ１ｃとの間でエア流通路Ａの両側にエ
ア案内板２４、２５が設けられている。上記以外の構成は図４〜図６に示す構成とほぼ同
じであるから、同一部分に同一符号を付してその説明を省略する。
【００２９】
動作手順は従来と同じであるから、その説明を省略するが、その動作継続中、ファン１
７を駆動して、隙間６ａ（及びそれ以外の図示していない隙間や通気口）からエア流通路
Ａに沿って矢印ａで示すようにエアを流通させ、大規模集積回路ＬＳＩやトランス１３な
どの発熱部品を冷却する。
【００３０】
上記構成によれば、１台のファン１７でローダー２や大規模集積回路ＬＳＩ及びトラン
ス１３を同時に冷却することができ、従来の大規模集積回路ＬＳＩの放熱を促進するため
のヒートシンク１９（図６参照）が不要となり、その不要となった分だけ部品点数を少な
くして製作費を安くすることができる。
【００３１】
また、ファン１７が筐体１内に設けられて外から見えないので、外観上の体裁を良好に
維持することができると共に、従来の外付けファン１７（図４〜図６参照）のように近隣
機器に接触して損傷されたり専有面積が大きくなることもなく、使い勝手がよい。
【００３２】
特に、図３に仮想線で示すように、トップカバー１ｄを取り外したときでも、ファン１
７がメイン基板７の下方に隠れているので、該ファン１７が外部に露出せず、外観上の体
裁を一層良好に維持することができる。
【００３３】
更に、エア流通路Ａの両側にエア案内板２４、２５を設けているので、該エア流通路Ａ
内を流通するエアが拡散しないようにして、冷却効率を高めることができる。
【図面の簡単な説明】
【００３４】
【図１】本発明の実施の一形態であるディスク装置を示す斜視図である。
【図２】同水平断面図である。
【図３】同縦断面図である。
【図４】従来例を示す斜視図である。
【図５】同水平断面図である。
【図６】同縦断面図である。
【符号の説明】
【００３５】
１          筐体
１ａ        フロントパネル
１ｂ        ボトムシャーシ
１ｃ        リアシャーシ
１ｄ        トップカバー
２          ローダー
６          開口部
７          メイン基板
１１        サブ基板
１３        トランス
１７        ファン
２４、２５  エア案内板
ＬＳＩ      大規模集積回路
Ａ          エア流通路
【図１】
2008257763.tif 000003
【図２】
2008257763.tif 000004
【図３】
2008257763.tif 000005
【図４】
2008257763.tif 000006
【図５】
2008257763.tif 000007
【図６】
2008257763.tif 000008